(57)【要約】【課題】より取り扱い性に優れるフィードチェーンカバー部材を提供すること。【解決手段】刈取穀稈を扱胴に搬送するために用いられるフィードチェーン38を備えているコンバインの脱穀装置であって、フィードチェーン38の前端部内側に隣接して前後方向に延びる回転軸周りに回転可能な状態で軸支されるカバー部材50を備えており、当該カバー部材50は、フィードチェーン38の前端部を上側から覆う手扱プレート姿勢位置と、フィードチェーン38の内側下方への籾の落下を防止する籾だまり防止姿勢位置とに回動可能であるコンバインの脱穀装置である。【選択図】図３
2007252223.tif 000002
【特許請求の範囲】
【請求項１】
刈取穀稈を扱胴に搬送するために用いられるフィードチェーンを備えているコンバインの脱穀装置であって、
フィードチェーンの前端部内側に隣接して前後方向に延びる回転軸周りに回転可能な状態で軸支されるカバー部材を備えており、
当該カバー部材は、フィードチェーンの前端部を上側から覆う手扱プレート姿勢位置と、フィードチェーンの内側下方への籾の落下を防止する籾だまり防止姿勢位置とに回動可能であるコンバインの脱穀装置。
【請求項２】
前記カバー部材は、手扱プレート姿勢位置ではフィードチェーン前端部を覆う部材として用いられ、籾だまり防止姿勢位置では籾の落下を防止する受皿として用いられるカバー部材の本体部と、カバー部材を軸支する支持軸体と、当該支持軸体と前記本体部とを連結する連結部とを備えており、
前記支持軸体は、前記手扱プレート姿勢位置におけるカバー部材の本体部の高さ位置よりも低位置に位置されており、
前記籾だまり防止姿勢位置におけるカバー部材の本体部の高さ位置は、前記支持軸体の高さ位置よりも低くなっている、請求項１に記載のコンバインの脱穀装置。
【請求項３】
前記カバー部材の本体部は、前記手扱プレート姿勢位置において前記フィードチェーン前端部に上側から摺動接触する支え部を備えている請求項１または請求項２に記載のコンバインの脱穀装置。
【発明の詳細な説明】
【技術分野】
【０００１】
本発明は、コンバインの脱穀装置に関する。
【背景技術】
【０００２】
圃場において作業者が手刈りした穀稈の脱穀については、コンバインの脱穀装置のみを駆動させながらコンバインのフィードチェーンの前端部に刈り取った穀稈を供給して脱穀している。このように作業者の手でフィードチェーン上に穀稈を供給して行なう脱穀作業では、フィードチェーンに注意しながら穀稈供給作業を行なう必要があり、作業性は必ずしもよくない。このようなことから、フィードチェーンの前端部に手扱ガイド（枕扱ガイド）を備えているコンバインがある。
【特許文献１】特開２００１−２５１９３２号公報
【発明の開示】
【発明が解決しようとする課題】
【０００３】
ところで、コンバインは、コンバイン前部の刈取装置から自動的に刈取穀稈が脱穀装置に供給される自脱用状態と、作業者の手で脱穀を供給できるようになっている手扱用状態とに切り換え可能になっている。
【０００４】
そして、先に説明した手扱ガイドは、手扱用状態でのみ用いられるものである。したがって、コンバインの状態を自脱用状態と手扱用状態との間で切り替えるときに、手扱ガイドの着脱などの作業が必要であり面倒である。
【課題を解決するための手段】
【０００５】
そこで、本発明では、刈取穀稈を扱胴に搬送するために用いられるフィードチェーンを備えているコンバインの脱穀装置であって、フィードチェーンの前端部内側に隣接して前後方向に延びる回転軸周りに回転可能な状態で軸支されるカバー部材を備えており、
当該カバー部材は、フィードチェーンの前端部を上側から覆う手扱プレート姿勢位置と、フィードチェーンの内側下方への籾の落下を防止する籾だまり防止姿勢位置とに回動可能であるコンバインの脱穀装置を提供する。
【０００６】
また、本発明は、以下の構成にも特徴を有する。
【０００７】
前記カバー部材は、手扱プレート姿勢位置ではフィードチェーン前端部を覆う部材として用いられ、籾だまり防止姿勢位置では籾の落下を防止する受皿として用いられるカバー部材の本体部と、カバー部材を軸支する支持軸体と、当該支持軸体と前記本体部とを連結する連結部とを備えており、前記支持軸体は、前記手扱プレート姿勢位置におけるカバー部材の本体部の高さ位置よりも低位置に位置されており、前記籾だまり防止姿勢位置におけるカバー部材の本体部の高さ位置は、前記支持軸体の高さ位置よりも低くなっていること。
【０００８】
前記カバー部材の本体部は、前記手扱プレート姿勢位置において前記フィードチェーン前端部に上側から摺動接触する支え部を備えていること。
【発明の効果】
【０００９】
請求項１に記載の発明では、脱穀装置のフィードチェーンの前端部内側に隣接して前後方向に延びる回転軸周りに回転可能な状態で軸支されるカバー部材を備えており、当該カバー部材は、フィードチェーンの前端部を上側から覆う手扱プレート姿勢位置と、フィードチェーンの内側下方への籾の落下を防止する籾だまり防止姿勢位置とに回動可能になっている。
【００１０】
このようなカバー部材を備えておけば、コンバインを手扱用状態で用いる場合は、カバー部材をフィードチェーン前端部を覆う手扱プレートとして用いることができる。そして、コンバインを自脱用状態で用いる場合は、カバー部材をフィードチェーンの内側下方を覆うカバー部材として用いることができ、籾の落下を防止する籾だまり防止用の部材として用いることができる。このように、手扱用状態での機能と、当該機能とは異なる自脱用状態での機能を持つカバー部材を取り付ければ、コンバインを自脱用状態や手扱用状態に切り替えるときに、カバー部材を着脱する必要がなく、切換え作業が簡単になる。また、１つの部材に複数の機能を持たせることで、フィードチェーン周りの部材配置がより容易になる。
【００１１】
請求項２に記載の発明では、前記カバー部材は、手扱プレート姿勢位置ではフィードチェーン前端部を覆う部材として用いられ、籾だまり防止姿勢位置では籾の落下を防止する受皿として用いられるカバー部材の本体部と、カバー部材を軸支する支持軸体と、当該支持軸体と前記本体部とを連結する連結部とを備えており、前記支持軸体は、前記手扱プレート姿勢位置におけるカバー部材の本体部の高さ位置よりも低位置に位置されており、前記籾だまり防止姿勢位置におけるカバー部材の本体部の高さ位置は、前記支持軸体の高さ位置よりも低くなっている。
【００１２】
このように、手扱プレート姿勢位置でフィードチェーンを上側から覆う状態のカバー部材の本体部の高さ位置よりも、籾だまり防止姿勢位置で籾の落下を防止する受皿として用いられる状態のカバー部材の本体部の高さ位置を低くすることができれば、フィードチェーン前端部に供給された穀稈から落下した籾をより確実に受け取ることができ、フィードチェーン内側下方への籾の落下がより確実に防止される。
【００１３】
請求項３に記載の発明では、前記カバー部材の本体部は、前記手扱プレート姿勢位置において前記フィードチェーン前端部に上側から摺動接触する支え部を備えている。
【００１４】
このようにすれば、カバー部材を手扱プレート姿勢位置に移動させたときに、支え部をフィードチェーンに接触させることによって、カバー部材の本体部をフィードチェーンの上方位置に安定した状態で位置させることができ、より安定した状態で手扱作業を行なうことができるようになる。
【発明を実施するための最良の形態】
【００１５】
以下に、本発明の最良の実施形態を、図面を参照しながら説明する。
【００１６】
図１から図３に示されるように、コンバインＡは、機体フレーム１の下部に配設された左右一対のクローラ式の走行部2,2と、機体フレーム１の前端部に昇降機構４を介して昇降回動自在に取り付けられた刈取部３と、昇降機構４の左側後方位置に配置された搬送機構５と、搬送機構の後方位置に配設された脱穀部６と、脱穀部６の直下方位置に配設された選別部７と、昇降機構４の右側後方位置に配置された運転部８と、運転部８の後下方位置に配設された原動機部９と、原動機部９の後方位置に配設された穀粒貯留部10と、穀粒貯留部10の後方に連動連設された穀粒搬出部11とを備えている。
【００１７】
このようなコンバインＡでは、刈取部３で刈り取られた穀稈は、搬送機構５によって脱穀部６へ搬送されて脱穀され、脱穀された穀粒が選別部７で選別される。選別部７にて選別された一番穀粒は、穀粒貯留部10に搬送されて貯留され、その後、穀粒搬出部11によって搬出される。
【００１８】
走行部２は、前後方向に伸延する走行フレームの前端部に駆動輪13を連動連結する一方、同走行フレームの後端部に遊動輪14を回転自在に軸支し、これら駆動輪13と遊動輪14との間に履帯15を巻回している。図中、16は転動輪である。
【００１９】
刈取部３は、機体フレーム１の前部に立設した刈取部支持体（不図示）に基端部が枢支された刈取部支持フレーム22を備えており、刈取部支持フレーム22は左右方向の軸線廻りに上下方向に昇降回動自在となっている。そして、刈取部支持フレーム22と機体フレーム１との間には刈取部昇降手段としての昇降用シリンダ23が介設されており、昇降用シリンダ23を伸縮作動させると、刈取部支持フレーム22が昇降するようになっている。また、刈取部支持フレーム22は、その前端部に分草体25を備えており、分草体25の後方位置に設けられた穀稈引起体26と、穀稈引起体26の後方に配置された搬送機構５の下方に位置する刈刃27を備えている。
【００２０】
搬送機構５は、コンバインを走行させながら刈取部３で刈り取られた穀稈を、その直後方に配置された脱穀部６に搬送するものである。
【００２１】
脱穀部６は、コンバインを走行させながら刈取部３で刈り取った穀稈を自動的に脱穀する場合は、刈取部３から搬送機構５によって搬送されてきた穀稈の株元部をフィードチェーン38により受け継いで、脱穀部６内の扱胴39と、扱胴39の直下方位置に配置されたクリンプ網との間にて、穀稈の穂先部を前方から後方に向けて移送させつつ脱穀する。
【００２２】
そして、いわゆる手扱きによる脱穀を行う場合は、作業者の手作業によって穀稈がフィードチェーン38に供給され、供給された穀稈は、自動的に脱穀する場合と同様、フィードチェーン38によって脱穀部６内の扱胴39へと移送される。
【００２３】
選別部７は、脱穀部６のクリンプ網の直下方位置に配設された揺動選別体40を備え、クリンプ網を通して漏下してくる穀粒を一番穀粒を二番穀粒とに選別し、一番穀粒を穀粒貯留部10に搬送する一方、二番穀粒を再度揺動選別体40上に戻して再選別する。
【００２４】
穀粒貯留部10は、選別部７において選別された一番穀粒を貯留するところである。ここに貯留された一番穀粒は、穀粒搬出部11によって適宜搬出される。この穀粒搬出部11は、穀粒貯留部10内の下部から前後方向後方に伸延した図示しない横搬出用スクリューコンベア体と、横搬出用スクリューコンベアの後端部に下端部が連通連結されており上下方向に配置された縦搬出用スクリューコンベア41と、縦搬出用スクリューコンベア41の上端部に後端部が連通連結されており前方に向けて伸延したオーガ42とを備えている。そして、オーガ42は後端部を中心に旋回及び上下回動自在になっている。
【００２５】
運転部８は、その前部に配置されたフロントコラム43を備え、フロントコラム43の上端部にはステアリングホイール44が設けられている。また、ステアリングホイール44の左側方位置にはサイドコラム45が配置されている。
【００２６】
原動機部９は、図示しないエンジンを備えており、エンジンには連動機構を介して図示しないミッションケースが連動連結されており、ミッションケースには、図示しない伝動機構を介して、刈取部３の図示しない刈取駆動機構や脱穀部６の扱胴39など、各種作業部の駆動機構が連動連結されている。
【００２７】
このような構成のコンバインＡを走行させながら刈取部３で穀稈を刈り取る場合は、刈取部３、搬送機構５、脱穀部６、選別部７、穀粒貯留部10および穀粒搬出部11といった各作業部は原動機部９に連動連結されており、原動機部９からの動力によって、刈取から搬出までが連動しながら行なわれる。
【００２８】
そして、コンバインＡを停止させて、いわゆる手扱ぎによる脱穀を行う場合は、刈取部３や搬送機構５は停止させ、脱穀部６、選別部７、穀粒貯留部10および穀粒搬出部11といった各作業部を原動機部９に連動連結させて作動させる。
【００２９】
また、図２に示されるように、本実施形態のコンバインＡは、脱穀部６の前部であって、コンバインＡの左側のフィードチェーン38に隣接する位置に、籾たまりを防止するための籾たまり防止パンとして用いることができると共に、フィードチェーンカバーとしても用いることができるカバー部材50を備えている。
【００３０】
図３に示されるように、カバー部材50は、支持軸体60によって回動自在に支持されているアーム部（連結部）51と、アーム部51に一体に取り付けられたプレート状の本体部52とを備えている。アーム部51の支持軸体60は、扱胴39に向けて移動するフィードチェーン38の延在方向に沿ってほぼ前後方向に延びており、カバー部材50は、この支持軸体60回りに回動自在になっている。したがって、カバー部材50は、図３において実線で示される籾たまり防止姿勢位置と、仮想線で示される手扱プレート姿勢位置とに回動自在である。なお、カバー部材50は、籾たまり防止姿勢位置では、フィードチェーン38の内側下方への籾の落下を防止する籾たまり防止パンとして用いられ、手扱プレート姿勢位置では、フィードチェーン38の前端部を上側から覆うフィードチェーンカバーとして用いられる。
【００３１】
さらに、カバー部材50の本体部52は、アーム部51側と反対側の側端部に折曲げ部52aを備えている。折曲げ部52aの折曲げの向きは、カバー部材50が籾たまり部防止姿勢位置に位置する状態で上方である。そして、本体部52には、手扱プレート姿勢位置において得に有用である支え部53が備えられている。支え部53は、カバー部材50が籾たまり部防止姿勢位置に位置する状態で、本体部52から上方に突出しており、フィードチェーン38の延在方向に延在している。そして、その突出端にはゴム材からなるゴムモール54が取り付けられている。なお、支え部53の詳細については、手扱プレート姿勢位置に関する説明をする際に詳細に説明する。
【００３２】
先ず、カバー部材50が籾たまり防止姿勢位置に位置する状態について説明する。この状態では、カバー部材50は、フィードチェーン38の前端部内側に隣接して設置される。
【００３３】
アーム部51は、垂直に延びる状態に配設される状態になり、支持軸体60による軸支位置が上端側に位置し、本体部52のカバー部材50側の端部が下端側に位置する状態になる。また、フィードチェーン38とは反対側の側部の折曲げ部52aは、上向きに折り曲げられた状態になる。
【００３４】
この状態では、カバー部材50の本体部52は、フィードチェーン38や支持軸体60の下方に位置するので、フィードチェーン38の上に供給された穀稈から落ちた籾を受け止める受け皿として好適であり、しかも、コンバイン下方への籾の落下を確実に防止できる。また、カバー部材50の本体部52の折曲げ部は、上方に折り曲げられた状態であるので、カバー部材50で受け取った籾がこぼれて落ちるようなことが確実に防止される。
【００３５】
また、カバー部材50が手扱プレート姿勢位置に位置する状態について説明する。この状態では、カバー部材50は、本体部52がフィードチェーン38の上方に位置する状態になる。
【００３６】
そして、このとき、本体部52に取付られた支え部53は、下方に向けて突出した状態になり、先端のゴムモール54がフィードチェーン38に摺動接触する状態になる。また、コンバインＡの車幅方向外側に位置する本体部52の折曲げ部52aは下方に折り曲げられた状態になる。
【００３７】
この状態では、フィードチェーン38の前端部の上に本体部52が位置する状態になるので、カバー部材50を手扱プレートとして用いることができると共に、フィードチェーン38を覆うフィードチェーンカバーとして機能する。また、本体部52の折曲げ部が下方に向けて折り曲げられた状態になるので、フィードチェーン38の側方がより確実にカバーされる。
【００３８】
さらに、本体部52に設けた支え部の先端のゴムモール54をフィードチェーン38に摺動接触させるので、本体部52のフィードチェーン38に対する位置が安定し、穀稈をフィードチェーン38に安定的に供給できる。すなわち、穀稈供給作業の作業性が向上する。
【００３９】
次に、このようなカバー部材50を備えるコンバインで手扱による脱穀を行なう場合について説明する。
【００４０】
図３に示されるように、コンバインＡを走行させて自動的に脱穀する場合、カバー部材50は、籾たまり防止姿勢位置に位置されている。したがって、自動的に脱穀を行なった後に、手扱による脱穀を行なう場合は、カバー部材50を回動させて、図３において二点鎖線で示される手扱プレート姿勢位置に移動させる。すると、フィードチェーン38の上方に位置するカバー部材50の本体部52を手扱プレートとして用いることができる。また、カバー部材50は、フィードチェーンカバーとして機能する。
【００４１】
このように本発明のカバー部材50は、自動的に脱穀する場合は、籾たまり防止パンとして用いることができ、手扱による脱穀を行なう場合は、手扱プレートおよびフィードチェーンカバーとして用いることができる。しかも、回動させるだけで姿勢位置を変更でき、着脱などの作業が不要であるので、取り扱い性に優れている。
【００４２】
なお、本発明のコンバインは、上記実施形態に限られるものではなく、種々改変できる。
【００４３】
例えば、コンバイン進行方向前方に向けて下り勾配に傾斜する状態で設置されることがある。このような場合に対応するために、本体部52の前方を、カバー部材50が籾たまり防止姿勢位置に位置する状態で、上方に折り曲げてもよい。このようにすると、いったんカバー部材50で受け取った籾が本体部52の前方にこぼれ落ちることが防止される。また、このとき、前部の折り曲げ位置がフィードチェーン38の前端よりも前方に位置するように、カバー部材50を配置しておけば、カバー部材50を手扱プレート姿勢位置に位置させたとき、フィードチェーン38の前端部を上側から覆うことができ、フィードチェーン38をより確実にカバーすることができる。カバーがより確実になれば、より安心して手扱による脱穀作業を行なうことができるようになる。つまり、手扱作業の作業性が向上する。
【００４４】
また、カバー部材のフィードチェーン方向の長さは、回動時に他の部材と干渉しない範囲で扱胴39側に長くすることができる。
【図面の簡単な説明】
【００４５】
【図１】本発明に係る第１実施形態のコンバインを示す側面図である。
【図２】図１に示されるコンバイン機構を示す平面図である。
【図３】図２のＢ−Ｂ船断面のうちの腰部を示す断面図である。
【図４】図３に示されるカバー部材を示す斜視図である。
【符号の説明】
【００４６】
１  機体フレーム
２  走行部
３  刈取部
４  昇降機構
５  搬送機構
６  脱穀部
７  選別部
８  運転部
９  原動機部
10  穀粒貯留部
11  穀粒搬出部
38  フィードチェーン
39  扱胴
50  カバー部材
50  一端カバー部材
51  アーム部（連結部）
52  本体部
52a  折曲げ部
53  支え部
54  ゴムモール
60  支持軸体
Ａ  コンバイン
【図１】
2007252223.tif 000003
【図２】
2007252223.tif 000004
【図３】
2007252223.tif 000005
【図４】
2007252223.tif 000006